(57)【要約】【課題】アキシャル荷重が負荷される用途で使用されるラジアル玉軸受において、保持器を組み付けるときに、その組付装置と肩との干渉を回避して、肩高さを高くする。【解決手段】外輪１１及び内輪１２は、それぞれ軸方向の両側で肩の高さが互いに異なっている。保持器１８は、玉１３を挟持する複数の一対の玉保持部３３，３４と、前記玉保持部３３，３４をそれぞれ周方向につなぐ複数の一対の平板部３５，３６とを有するとともに、対向する一対の平板部３５，３６の各々が互いに結合されている。平板部３５，３６は、径方向外方に向かうにしたがって、外輪１１の肩高さが高い方の肩Ａに向かって軸方向に傾斜している。【選択図】図２
2016223505.tif 000002
【特許請求の範囲】
【請求項１】
外輪と、
前記外輪の内側で、前記外輪と同軸に配置された内輪と、
前記外輪と前記内輪との間に配置された複数の玉と、
前記玉を周方向に所定の間隔で保持する保持器と、を有し、
軸方向両側で前記外輪の肩高さが互いに異なるとともに、軸方向両側で前記内輪の肩高さが互いに異なるラジアル玉軸受において、
前記保持器は、前記玉を挟持する複数の一対の玉保持部と、前記一対の玉保持部をそれぞれ周方向につなぐ複数の一対の平板部とを有するとともに、対向する前記一対の平板部の各々が互いに結合されており、
前記一対の平板部は、径方向外方に向かうにしたがって、前記外輪の肩高さが高い方の肩に向かって軸方向に傾斜しているラジアル玉軸受。
【請求項２】
前記保持器が金属製である請求項１に記載するラジアル玉軸受。
【請求項３】
対向する前記一対の平板部の各々がリベットによって結合されている、請求項２に記載するラジアル玉軸受。
【発明の詳細な説明】
【技術分野】
【０００１】
本発明は、ラジアル玉軸受に関するものである。特に、ラジアル荷重とともにアキシャル荷重を支持することが出来るラジアル玉軸受に関する。
【背景技術】
【０００２】
軸を回転支持する用途では、転がり軸受が使用される。この転がり軸受には、回転軸に作用する荷重が主として径方向の荷重（以下「ラジアル荷重」という）である場合には、ラジアル玉軸受（深溝玉軸受ともいう）が使用されている。一方、回転軸に作用する荷重が軸方向の荷重（以下「アキシャル荷重」という）である場合や、ラジアル荷重とアキシャル荷重が同時に作用する場合には、アンギュラ玉軸受を２個組み合わせたものが使用されている。
【０００３】
しかし、ラジアル玉軸受は、玉と軌道面との接触点に形成される接触領域が軌道面からはみ出さない限り、ある程度の大きさまでのアキシャル荷重を支持することが出来る。このため、アキシャル荷重が比較的小さいときには、ひとつのラジアル玉軸受を組み込むだけでラジアル荷重とアキシャル荷重を同時に支持出来るので、転がり軸受を組み込むためのスペースを小さくすることが出来る。このため、ラジアル玉軸受のアキシャル荷重を支持する能力（「アキシャル荷重の負荷容量」という）を高くすることは、回転軸を有する装置を小型化するための手段として有効である。
【０００４】
アキシャル荷重に対する負荷容量を高くするためには、肩の高さを高くして接触領域が軌道面からはみ出さないようにする必要がある。肩とは、軌道面とつながって軸方向両外側に形成されている円筒形状の面であり、肩の高さとは、軌道底と肩との径方向の寸法差をいう。この肩の高さを、以下、単に「肩高さ」という。
アキシャル荷重の作用する向きが一方向の場合には、その作用する側の肩高さを高くすれば、ラジアル玉軸受のアキシャル荷重に対する負荷容量を効果的に高くすることが出来る。例えば、自動車のトランスミッション装置におけるカウンター軸などでは、ギアの歯のねじれ方向によってアキシャル荷重の向きが定まっている。転がり軸受の組込スペースを削減することによってトランスミッション装置を小型化したり軽量化することが出来るので、ラジアル玉軸受でありながら大きなアキシャル荷重を支持出来る転がり軸受が期待されていた。
【０００５】
特許文献１では、アキシャル荷重が作用する側の肩高さを高くしたラジアル玉軸受１００として、図６に示す形態が開示されている。このラジアル玉軸受１００の外輪１０１では、図６において、右側の肩１０６の肩高さが左側の肩１０８の肩高さより高くなっており、内輪を図の右方向に付勢するアキシャル荷重を支持することが出来るとしている。
しかしながら、ラジアル玉軸受１００を組み立てるときには、一般的に、外輪１０１及び内輪１０２と玉１０３とをあらかじめ組み立てた後で、保持器１０４が組み込まれる。鉄製の保持器１０４を使用した場合には、最終の組立工程でリベット１０７をかしめている。図６では、リベット１０７をかしめるときのかしめパンチ１０５の配置を一点鎖線で示している。肩１０６の肩高さを高くすることによって、肩１０６とかしめパンチ１０５とが近接する。このため、特許文献１のラジアル玉軸受１００では、クロスハッチングを付した領域Ｚにおいてかしめパンチ１０５と肩１０６とが干渉する虞がある。
【０００６】
こうして、特許文献１に開示されている形態のラジアル玉軸受１００では、かしめパンチ１０５との干渉を避けるために肩１０６の肩高さが制限されるので、従来の一般的なラジアル玉軸受と比較して、アキシャル荷重に対する負荷容量を大幅に向上させることが出来なかった。
【先行技術文献】
【特許文献】
【０００７】
【特許文献１】特開２０００−１４５７９５号公報
【発明の概要】
【発明が解決しようとする課題】
【０００８】
本発明の目的は、ラジアル荷重とともにアキシャル荷重が負荷される用途で使用されるラジアル玉軸受において、保持器を組み付けるときの組付装置と肩との干渉を回避して、アキシャル荷重が作用する側の肩高さを高くすることである。
【課題を解決するための手段】
【０００９】
本発明にかかるラジアル玉軸受は、外輪と、前記外輪の内側で、前記外輪と同軸に配置された内輪と、前記外輪と前記内輪との間に配置された複数の玉と、前記玉を周方向に所定の間隔で保持する保持器と、を有し、軸方向両側で前記外輪の肩高さが互いに異なるとともに、軸方向両側で前記内輪の肩高さが互いに異なるラジアル玉軸受において、前記保持器は、前記玉を挟持する複数の一対の玉保持部と、前記一対の玉保持部をそれぞれ周方向につなぐ複数の一対の平板部とを有するとともに、対向する前記一対の平板部の各々が互いに結合されており、前記一対の平板部は、径方向外方に向かうにしたがって、前記外輪の肩高さが高い方の肩に向かって軸方向に傾斜している。
【発明の効果】
【００１０】
本発明のラジアル玉軸受は、保持器の平板部が傾斜しているので、肩高さを高くした場合でも、保持器の組付装置と肩との干渉を回避することが出来る。このため、従来のラジアル玉軸受と比較して、アキシャル荷重が作用する側の肩高さを高くすることが出来る。この結果、アキシャル荷重の負荷容量を大幅に向上させたラジアル玉軸受を提供することが出来る。
【図面の簡単な説明】
【００１１】
【図１】本発明の実施形態であるラジアル玉軸受の正面図である。
【図２】図１のラジアル玉軸受の部分断面図である。
【図３】本実施形態の保持器の形状を説明する斜視図である。
【図４】本実施形態のラジアル玉軸受の組立方法を説明するための模式図である。
【図５】比較例のラジアル玉軸受の組立方法を説明するための模式図である。
【図６】従来のラジアル玉軸受の断面図である。
【発明を実施するための形態】
【００１２】
図を用いて、本発明の一実施形態（以下「本実施形態」という）について説明する。
図１は、本実施形態のラジアル玉軸受１０の正面図である。図２は、ラジアル玉軸受１０を図１のＸ−Ｘの位置で軸方向に切断して矢印Ｘの向きに見たときの上側の断面形状を示す部分断面図である。
図１に示すように、ラジアル玉軸受１０は、円環状の外輪１１と、外輪１１より小径で円環状の内輪１２とが同軸に組み合わされていて、外輪１１と内輪１２との間に複数の玉１３が組み込まれている。以下、特に断らない場合は、外輪１１及び内輪１２の軸の方向を軸方向といい、軸を中心としてその周りを回る方向を周方向という。
【００１３】
外輪１１は、軸受鋼で製作されている。図２に示すように、内周には、外側軌道面１５が軸方向の略中央に全周にわたって形成されている。外側軌道面１５は、軸方向断面では円弧形状である。この円弧の曲率半径は、玉１３の外周面の曲率半径よりわずかに大きく設定されている。外側軌道面１５の軸方向両外側に、肩Ａ及び肩Ｂが形成されている。肩Ａ及び肩Ｂは、いずれも外側軌道面１５と同軸の円筒形状であって、その内径寸法は互いに異なっている。内径寸法が小さい方の肩を肩Ａとし、他方を肩Ｂとする。なお、外輪１１の軌道底１５ａと肩Ａ及び肩Ｂとの径方向の寸法差Ｈａ，Ｈｂを、それぞれ肩Ａ及び肩Ｂの肩高さという。軌道底１５ａは、外側軌道面１５のうちで径方向の最も外方の点である。肩Ｂは、外側軌道面１５と軸方向における反対側で、外輪１１の端面２４に向かって拡径するテーパ面２２とつながっている。
【００１４】
内輪１２は、軸受鋼で製作されている。外周には、内側軌道面１６が軸方向の略中央に全周にわたって形成されている。軸方向の断面における内側軌道面１６の形状は円弧である。この円弧の曲率半径は、玉１３の外周面の曲率半径よりわずかに大きく設定されている。内側軌道面１６の軸方向両外側に、それぞれ肩Ｃ及び肩Ｄが形成されている。肩Ｃ及び肩Ｄは、いずれも内側軌道面１６と同軸の円筒形状であって、外径寸法は互いに異なっている。外径寸法が小さい方の肩を肩Ｃとし、他方を肩Ｄとする。肩Ｃ及び肩Ｄの肩高さをそれぞれＨｃ及びＨｄとする。
内側軌道面１６の軸方向の一方の端は肩Ｃとつながっており、他方の端は肩Ｄとつながっている。肩Ｃは、内側軌道面１６と軸方向における反対側で、内輪１２の端面２５に向かって直径寸法が縮小するテーパ面２３とつながっている。
【００１５】
玉１３は、外側軌道面１５と内側軌道面１６との間に転動自在に配置されている。本実施形態では、玉１３は９個組み込まれている（図１参照）。玉１３は、保持器１８によって周方向に略等間隔に保持されている。保持器１８の形態については、その組立方法と合わせて後で詳細に説明する。
【００１６】
こうして、外輪１１と内輪１２とを同軸に組み合わせたときに、外輪１１の内周と内輪１２の外周との間に形成される環状空間Ｇは、玉１３を挟んで軸方向の両側で互いに径方向の寸法が異なっている。肩Ａの側の環状空間Ｇは、肩Ａの内周と肩Ｃの外周との間に形成され、肩Ｂの側の環状空間Ｇは肩Ｂの内周と肩Ｄの外周との間に形成されている。肩Ａの肩高さＨａが肩Ｂの肩高さＨｂより高く、肩Ｃの肩高さＨｃが肩Ｄの肩高さＨｄより低いので、肩Ａの側の環状空間Ｇは、肩Ｂの側の環状空間Ｇに比べて径方向の寸法が小さくなっている。
【００１７】
図２によって、本実施形態のラジアル玉軸受１０が、ラジアル荷重とともにアキシャル荷重を支持するときの、玉１３と各軌道面１５，１６との接触状態について説明する。
【００１８】
ラジアル荷重Ｆｒが作用するときには、内輪１２が図中で上向きに示した矢印の向きに付勢される。このとき、玉１３と外輪１１及び内輪１２は、外側軌道面１５の軌道底１５ａ及び内側軌道面１６の軌道底１６ａで互いに接触している。玉１３と外側軌道面１５とが接触する点を接触点Ｐ１とし、玉１３と内側軌道面１６とが接触する点を接触点Ｐ２とする。
【００１９】
ラジアル荷重Ｆｒに加えてアキシャル荷重Ｆａが作用したときには、内輪１２が図中で水平方向に示した矢印の向きに付勢される。このときには、図２に示すように、外輪１１側の接触点Ｐ１は、肩Ａに近づく側に変位し（接触点Ｐ３とする）、内輪１２側の接触点Ｐ２は、肩Ｄに近づく側に変位する（接触点Ｐ４とする）。
なお、内輪１２側の接触点Ｐ２及びＰ４は、玉１３の中心Ｏに対して外輪１１側の接触点Ｐ１及びＰ３と反対の位置に形成される。また、内輪１２と玉１３との接触状態は、外輪１１側の接触状態と同様であるので、以下の説明では外輪１１と玉１３との接触状態についてのみ説明する。
【００２０】
玉１３と外側軌道面１５はいずれも鋼製であり、弾性を有している。そのため、例えば接触点Ｐ３では、接触面が弾性変形して楕円形の接触領域Ｅが形成される。外側軌道面１５の法線方向からみたときの接触領域Ｅの形状の例を、玉１３の中心Ｏから接触点Ｐ３に向かう線の延長線上に示す。過大なアキシャル荷重Ｆａが作用したときには、接触領域Ｅの位置がさらに肩Ａに接近するとともに、接触領域Ｅの面積が大きくなる。
仮に、アキシャル荷重Ｆａが作用する側の肩高さ（ここでは肩Ａの肩高さＨａである）が十分に高く設定されていない場合を考える。この場合には、接触領域Ｅが外側軌道面１５から肩Ａの側にはみ出す虞がある。接触領域Ｅが外側軌道面１５からはみ出した時には、外側軌道面１５と肩Ａとをつなぐエッジ部と玉１３とが接触して、応力集中によって大きな接触応力が生じる。この結果、玉１３の表面に傷がついたり、外側軌道面１５に圧痕が生じたりするので、回転中に異音が生じたり、軌道面に剥離を生じたりする等の不具合が発生する。このように、接触領域Ｅが軌道面からはみ出す現象を「肩乗り上げ」という。
しかし、本実施形態では、肩Ａの肩高さＨａを高くしているので、肩Ａに向かって大きなアキシャル荷重Ｆａが作用した場合においても、接触領域Ｅが外側軌道面１５からはみ出すのを防止することが出来る。
【００２１】
また、ラジアル荷重Ｆｒが作用した時の接触領域Ｅは、軌道底１５ａを中心にして、肩Ａ及び肩Ｂに向けて広がっている。本実施形態では、肩Ｂの内径寸法を外側軌道面１５の軌道底１５ａの直径寸法より小さくすることによって、軌道底１５ａから肩Ｂの側に向けて外側軌道面１５が形成されている。肩Ｂの内径寸法を適宜選択することによって、軌道底１５ａから肩Ｂまでの外側軌道面１５の大きさを適宜設定することが出来る。外側軌道面１５の大きさを接触領域Ｅの大きさより大きく設定することによって、接触領域Ｅが肩Ｂに乗り上げるのを防止出来る。なお、軌道底１５ａから肩Ａの側では、肩高さが高いので、ラジアル荷重Ｆｒが作用した時に接触領域Ｅが肩Ａに乗り上げることはない。
内輪１２側の玉１３との接触状態については説明を省略したが、内側軌道面１６においても外側軌道面１５と同様に、ラジアル荷重Ｆｒ及びアキシャル荷重Ｆａを支持することが出来る。
【００２２】
こうして、本実施形態のラジアル玉軸受１０は、ラジアル荷重Ｆｒが負荷されたときには、玉１３が、外側軌道面１５及び内側軌道面１６の軌道底１５ａ，１６ａと接触して、その荷重を支持することが出来る。そして、アキシャル荷重Ｆａが作用する側の肩高さＨａ，Ｈｄを高くしているので、所定の方向のアキシャル荷重Ｆａが作用したときにおいても、その荷重を支持することが出来る。
【００２３】
保持器１８について図２及び図３を参照しつつ説明する。図３は、図１におけるＸ−Ｘの位置で切断して矢印Ｘの向きに見たときの保持器１８の形態を示す斜視図である。
図３に示すように、保持器１８は、第１円環部３１と第２円環部３２とがリベット２９で一体に固定されている。各円環部３１，３２は、それぞれ略円環状で、互いに軸方向に隣接して配置され、玉１３を軸方向に挟持する向きに組み合わされている。玉１３を挟持する球状の空間３９をポケットという。図３では、ポケット３９の位置を図の上から順にＢ１，Ｂ２，・・・と表示している。玉１３の組込状態を示すために、Ｂ１とＢ５の位置のポケット３９に玉１３が組み込まれた状態を図示している。実際のラジアル玉軸受１０では、各ポケット３９に玉１３がひとつずつ組み込まれている。
【００２４】
第１円環部３１と第２円環部３２は、それぞれ薄肉の炭素鋼鋼板をプレス成形することによって製作されている。
【００２５】
第１円環部３１には、周方向に玉１３の数と同数の第１玉保持部３３が形成されていて、各第１玉保持部３３は互いに第１平板部３５によって周方向に連結されている。第１玉保持部３３は、半球状で、軸方向外方（図３では右方である）に向かうにしたがって径方向内方に傾斜する向きに突出している。
【００２６】
図２に示すように、第１平板部３５は、径方向外方に向かうにしたがって軸方向の第１玉保持部３３が突出する向きに傾斜している。各第１平板部３５には、周方向並びに径方向のほぼ中央の位置で、第１平板部３５の厚さ方向に貫通する第１リベット穴３７が形成されている。第１リベット穴３７の中心線ｍは、ラジアル玉軸受１０の軸線ｎ上の一点（図示を省略）に集まる向きに形成されている。
第１円環部３１の外周面３１ａ及び内周面３１ｂは、それぞれ中心線ｍと平行な直線を母線とする円すい面で形成されている。
【００２７】
第２円環部３２には、周方向に玉１３の数と同数の第２玉保持部３４が形成されていて、各第２玉保持部３４は互いに第２平板部３６によって周方向に連結されている。第２玉保持部３４は、半球状で、第１玉保持部３３とは軸方向の反対向きに突出している。
第２平板部３６は、径方向外方に向かうにしたがって軸方向の第２玉保持部３４が突出する向きとは反対の向きに傾斜している。第２平板部３６が径方向に対して傾斜する角度θは、第１平板部３５が傾斜する角度θとほぼ同一である。第２平板部３６には、周方向並びに径方向のほぼ中央の位置に、面に垂直方向に貫通する第２リベット穴３８が形成されている。第２円環部３２における第２リベット穴３８の径方向の位置は、第１円環部３１における第１リベット穴３７の径方向の位置とほぼ同一である。こうして、第１円環部３１と第２円環部３２とを組み合わせたときには、第１リベット穴３７と第２リベット穴３８とが同軸となるように形成されている。
第２円環部３２の外周面３２ａ及び内周面３２ｂは、それぞれ中心線ｍと平行な直線を母線とする円すい面で形成されている。
【００２８】
第１円環部３１と第２円環部３２は、第１平板部３５と第２平板部３６とが互いに向き合うように、周方向の位相を合わせて互いに軸方向に組み合わされている。互いに同軸に組み合わされた第１リベット穴３７及び第２リベット穴３８に、リベット２９を挿入して第１円環部３１と第２円環部３２とが結合されている。
このとき、第１玉保持部３３と第２玉保持部３４とが互いに向き合うように軸方向に組み合わされて、各玉保持部３３，３４の内周に、略球状の玉保持面４０が形成される。玉保持面４０の直径寸法は、玉１３の直径寸法よりわずかに大きいので、玉１３は、玉保持面４０の内側で自在に回転することが出来る。
なお、第１円環部３１と第２円環部３２を組み合わせた状態では、第２円環部３２の外周面３２ａと第１円環部３１の外周面３１ａは、略同一の円すい面となり、第２円環部３２の内周面３２ｂと第１円環部３１の内周面３１ｂは、略同一の円すい面となっている。
【００２９】
こうして、保持器１８は、第１円環部３１の方が第２円環部３２より径方向内方で玉１３を挟持することが出来る。本実施形態のラジアル玉軸受１０では、肩Ａが形成されている側の環状空間Ｇの方が、肩Ｂが形成されている側の環状空間Ｇより直径寸法が小さい。したがって、第１円環部３１を肩Ａの側に、第２円環部３２を肩Ｂの側に組み込むことによって、環状空間Ｇに保持器１８を適正に組み込むことが出来る。
このとき、第１平板部３５及び第２平板部３６が径方向に向かうにしたがって外輪１１の肩高さが高い方の肩Ａに向かって軸方向に傾斜している。このため、図２から分かるように、リベット２９を、その中心線ｍが外輪１１と内輪１２との間に形成された環状空間Ｇの開口部に向かう方向に配置することが出来る。
【００３０】
次に、本実施形態のラジアル玉軸受１０の組立方法を説明する。
図４は、リベット２９をかしめるときの動作を説明するためのかしめ装置５０の構成図である。図４では、かしめ装置５０にラジアル玉軸受１０を装着した状態を示している。また、図４では、かしめる前のリベット２９の形状を破線で示している。
【００３１】
まず、外輪１１と内輪１２を同軸に組み合わせるとともに、外側軌道面１５と内側軌道面１６との間に所定の数（本実施形態では９個）の玉１３が組み込まれる。その後、玉１３を周方向に均等に配置した状態で、軸方向の両側から第１円環部３１と第２円環部３２とが組み付けられ、互いに同軸に配置した第１リベット穴３７及び第２リベット穴３８にリベット２９が挿入される。こうして、リベット２９は中心線ｍと同一の方向に配置されている。
【００３２】
かしめ装置５０では、リベット２９の数と同数組のかしめ受け座５１及びかしめパンチ５２が、ラジアル玉軸受１０の軸線ｎの周りに、各リベットの中心線ｍの方向に配置されている。
リベット２９は、頭部がかしめ受け座５１で支持されている。第１円環部３１側の端部がかしめパンチ５２に押されて塑性変形することによって、第１円環部３１と第２円環部３２が結合されている。リベット２９をかしめるときには、リベット２９を中心線ｍの方向に支持する必要がある。そのため、かしめ受け座５１は、ラジアル玉軸受１０の軸線ｎに対して傾斜した向きで、リベット２９と同軸に設置されている。また、かしめパンチ５２についても、リベット２９を中心線ｍの方向に加圧する必要がある。そのため、かしめパンチ５２がリベット２９と同軸に移動出来るように、スライドガイド５４がラジアル玉軸受１０の軸線ｎに対して傾斜した向きに設置されている。かしめパンチ５２の外周は円筒形状で、スライドガイド５４の内周との間にわずかなすきまをもって嵌め合わされている。
【００３３】
かしめ装置５０では、プレスヘッド５３が、ラジアル玉軸受１０の軸線ｎと同軸に配置されている。プレスヘッド５３が軸線ｎの方向に移動することによって、すべてのかしめパンチ５２が、同時に、スライドガイド５４に沿ってリベット２９の中心線ｍの方向に押し出される。こうして、各リベット２９が同時にかしめられている。
このとき、リベット２９の軸端部は、かしめパンチ５２に押されて圧縮方向に塑性変形するとともに径方向に押し広げられている。このため、かしめパンチ５２は、リベット２９の変形後の形状よりある程度大きい径寸法で製作されている。
【００３４】
本実施形態のラジアル玉軸受１０では、肩Ａの側の環状空間Ｇの直径寸法が、肩Ｂの側の環状空間の直径寸法より小さくなっている。
保持器１８は、第１円環部３１と第２円環部３２とが、ラジアル玉軸受１０の軸方向のほぼ中央で結合されているので、その結合する箇所の径方向の位置は、肩Ａの側の環状空間Ｇより径方向外方にあり、肩Ｂの側の環状空間Ｇより径方向内方にある。すなわち、リベット２９を挿入するリベット穴３７，３８が、肩Ａの側の環状空間Ｇに対しては径方向外方にずれた位置に形成され、肩Ｂの側の環状空間Ｇに対しては径方向内方にずれた位置に形成されている。
【００３５】
本実施形態では、第１平板部３５及び第２平板部３６が、肩高さの高い肩Ａに向かって軸方向に傾斜しているので、肩Ａの側の環状空間Ｇ及び肩Ｂの側の環状空間Ｇのいずれにおいてもリベット２９の中心線が環状空間Ｇの開口部に向いている。このため、かしめパンチ５２及びかしめ受け座５１をラジアル玉軸受１０の軸線に対して傾斜した方向に設置して、環状空間Ｇの開口部からリベット２９の中心線ｍと同じ方向に挿入することが出来る。したがって、例えば、肩Ａの側の環状空間Ｇに対してリベット穴が径方向外方にずれた位置に形成されている場合であっても、第１平板部３５が環状空間Ｇの開口部に向いているので、かしめパンチ５２を肩Ａから離した位置でリベット２９の中心線ｍの方向に挿入することが出来る。このため、かしめパンチ５２と肩Ａとの干渉を回避出来るので、肩Ａの肩高さを十分に大きく設定することが出来る。
【００３６】
同様に、かしめ受け座５１が内輪１２の肩Ｄの外周と接触しにくくなるので、肩Ｄの肩高さＨｄを高くすることが出来る。
これによって、アキシャル荷重Ｆａが作用したときに接触領域Ｅの位置が肩Ａまたは肩Ｄに近づいた場合でも、接触領域Ｅが外側軌道面１５または内側軌道面１６からはみ出ることがない。したがって、本実施形態のラジアル玉軸受１０は、大きなアキシャル荷重Ｆａを支持することが出来る。
【００３７】
保持器１８において、径方向外方に向かうにしたがって肩Ａに向かって軸方向に傾斜する平板部３５，３６を傾けたときの効果を説明するために、比較例として、平板部が径方向に形成されていて軸方向に傾斜していない場合のラジアル玉軸受７０について説明する。
ラジアル玉軸受７０は、本実施形態のラジアル玉軸受１０と比較して、保持器７１の形態のみが異なるので、保持器７１について詳細に説明し、その他は簡単に説明する。図５は、ラジアル玉軸受７０についてのリベット２９をかしめるときの動作を説明するためのかしめ装置６０の概念図である。図５では、本実施形態のかしめ方法と対比するために、かしめパンチ６２やかしめ受け座６１の大きさは本実施形態の場合と同じ大きさとしている。また、かしめる前のリベット２９の形状を破線で示している。
【００３８】
ラジアル玉軸受７０の保持器７１は、図５に示すように、それぞれ略円環状の、第３円環部７３と第４円環部７４とで構成されている。第３円環部７３は、玉１３の数と同数の略半球状の第３玉保持部７５と、各第３玉保持部７５を互いに周方向につなぐ第３平板部７７とを有している。第４円環部７４は、玉１３の数と同数の略半球状の第４玉保持部７６と、各第４玉保持部７６を互いに周方向につなぐ第４平板部７８とを有している。
第３平板部７７と第４平板部７８は、それぞれ径方向に形成されている。第３平板部７７と第４平板部７８には、垂直方向に貫通するリベット穴７９が形成されている。すなわち、各リベット穴７９はラジアル玉軸受７０の軸線ｎと同一の方向に形成されている。
【００３９】
なお、保持器７１において、外周面７３ａ，７４ａ及び内周面７３ｂ、７４ｂはいずれも円すい面であって、本実施形態の保持器１８の外周面３１ａ，３２ａ及び内周面３１ｂ、３２ｂと略同一の形状である。このため、保持器７１は、第３円環部７３の方が第４円環部７４より径方向内方で玉１３を挟持している。
ラジアル玉軸受７０においても本実施形態と同様に、第３円環部７３が肩Ａの側に、第４円環部７４が肩Ｂの側に組み込まれている。第３平板部と第４平板部とが、ラジアル玉軸受７０の軸方向のほぼ中央で結合されている。
こうして、リベット２９が、玉１３中心と径方向のほぼ同等の位置で、軸線ｎと平行に組み込まれていて、肩Ａの側の環状空間Ｇに対しては径方向外方に、肩Ｂの側の環状空間Ｇに対しては径方向内方にずれた位置に組み込まれている。
【００４０】
リベット２９をかしめるときには、リベット２９をその中心線ｍの方向に支持する必要がある。そのため、かしめ受け座６１は、その軸線が玉１３の中心を通る位置で、ラジアル玉軸受７０の軸線ｎと平行に設置されている。また、かしめパンチ６２についても、リベット２９をその中心線ｍの方向に加圧する必要がある。そのため、スライドガイド６４をラジアル玉軸受７０の軸線ｎと平行に設置して、かしめパンチ６２がリベット２９を中心線ｍの方向に加圧出来るように設定している。
ラジアル玉軸受７０では、リベット２９が肩Ａの側の環状空間Ｇに対して径方向外方にずれた位置に形成されている。このため、かしめパンチ６２を軸線ｎの方向に挿入すると、図５にクロスハッチングを付したＺで示した箇所で、肩Ａの内周とかしめパンチ６２の外周とが干渉する。この場合には、かしめパンチ６２をリベット２９に向けて挿入できないので、ラジアル玉軸受７０を組み立てることが出来ない。
【００４１】
干渉を回避するためには、肩Ａの内径寸法を大きくする必要がある。肩Ａの内径寸法を大きくすると、肩Ａの肩高さＨａが小さくなるので、ラジアル玉軸受７０では、アキシャル荷重Ｆａの負荷容量が低下するという問題がある。このように、平板部７７，７８を径方向に形成したラジアル玉軸受７０では、アキシャル荷重Ｆａに対する負荷容量を高くすることが困難である。
【００４２】
これに対し、本実施形態のラジアル玉軸受１０では、平板部３５，３６を傾斜させることによってかしめパンチ５２をラジアル玉軸受１０の軸線に対して斜めに挿入することが出来る。これによって、かしめパンチ５２と肩Ａの干渉を回避して、アキシャル荷重Ｆａが作用する側の肩高さＨａを高くすることが出来る。
内輪１２の外周や外輪１１の内周に関する干渉の問題は、第２円環部３２の側においても同様である。
【００４３】
なお、内輪１２の肩Ｃの外周との干渉を回避することによってさらにかしめパンチ５２を傾斜させることが出来る。例えば、図示を省略するが、内輪１２の肩Ｃの外径寸法を小さくしたり、肩Ｃの側の端面２５の軸方向の位置を更に内側軌道面１６に近接させたりすることによって、かしめパンチ５２の向きをさらに傾斜させて、肩Ａの肩高さＨａを更に高くすることが出来る。
【００４４】
以上説明したように、本発明のラジアル玉軸受１０は、保持器１８の平板部が傾斜しているので、肩高さＨａを高くした場合でも、保持器１８を組み付けるときに、その組付装置と肩との干渉を回避することが出来る。アキシャル荷重Ｆａが作用する側の肩高さを高くすることが出来るので、従来の深溝玉軸受と比較して、アキシャル荷重Ｆａを支持する能力を大幅に向上させたラジアル玉軸受１０を提供することが出来る。
【００４５】
本実施形態では、ラジアル玉軸受１０に使用される保持器１８として、リベット２９をかしめる形式の鉄保持器について説明したが、これに限定されない。
例えば、第２円環部３２の第２平板部３６から本実施形態の中心線ｍの方向に突出するピン（図示を省略）を一体に設け、第１平板部３５の第１リベット穴３７に挿入した後で、ピンの先端をかしめることによっても保持器１８を組立てることが出来る。また、第２平板部３６から中心線ｍの方向に突出する爪（図示を省略）を設けて、第１平板部３５と組み合わせた後に爪を折り曲げて固定することも出来る。
さらに、第１円環部と第２円環部とをポリアミドなどの合成樹脂で製作することも出来る。この場合には上記のピンや爪に熱を加えて変形させることで、保持器を組立てることが出来る。
いずれの場合においても、本実施形態で説明したように、玉保持部３３，３４を周方向に連結する板状の平板部３５，３６が、径方向外方に向かうにしたがって外輪１１の肩高さが高い方の肩Ａに向かって軸方向に傾斜している。このため、ピンや爪を環状空間Ｇの開口部に向けて形成することが出来るので、肩高さが高い場合でも加工装置が肩と干渉することを回避出来てピンや爪を容易に加工することが出来る。こうして、アキシャル荷重の負荷容量を大幅に向上させたラジアル玉軸受を提供することが出来る。
【符号の説明】
【００４６】
（本実施形態）
１０：ラジアル玉軸受、１１：外輪、１２：内輪、１３：玉、１５：外側軌道面、１６：内側軌道面、１８：保持器、２９：リベット、３１：第１円環部、３２：第２円環部、３３：第１玉保持部、３４：第２玉保持部、３５：第１平板部、３６：第２平板部、３７：第１リベット穴、３８：第２リベット穴、３９：ポケット、４０：玉保持面、５０：かしめ装置、５１：かしめ受け座、５２：かしめパンチ、５３：プレスヘッド、５４：スライドガイド、
（比較例）
６０：かしめ装置、６１：かしめ受け座、６２：かしめパンチ、６３：プレスヘッド、６４：スライドガイド、７０：ラジアル玉軸受、７１：保持器、７３：第３円環部、７４：第４円環部、７５：第３玉保持部、７６：第４玉保持部、７７：第３平板部、７８：第４平板部、７９：リベット穴、
（従来技術）
１００：ラジアル玉軸受、１０１：外輪、１０２：内輪、１０３：玉、１０４：保持器、１０５：かしめパンチ、１０６：肩、１０７：リベット、１０８：肩
【図１】
2016223505.tif 000003
【図２】
2016223505.tif 000004
【図３】
2016223505.tif 000005
【図４】
2016223505.tif 000006
【図５】
2016223505.tif 000007
【図６】
2016223505.tif 000008